【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
飽和磁束密度が０．５テスラ以上で保磁力が１０００Ａ／ｍ以下の球状磁性材料を含有する、繊維形成能を有するポリマからなる、単繊維直径が０．１〜１００μｍである繊維。
【請求項２】
平均粒径が５μｍ以下の球状磁性材料であることを特徴とする、請求項１記載の繊維。
【請求項３】
２０〜９０重量％の球状磁性材料を含有する磁性層と、球状磁性材料の含有量が２０重量％未満である保護層とからなる複合繊維であることを特徴とする請求項１または２に記載の繊維。
【請求項４】
磁性層が芯成分、保護層が鞘成分であり、かつ磁性層が５〜９５体積％の芯鞘型複合繊維であることを特徴とする請求項１〜３のいずれか１項記載の繊維。
【請求項５】
球状磁性材料が純度９８％以上の鉄および／またはニッケルおよび／またはコバルトであることを特徴とする請求項１〜４のいずれか１項記載の繊維。
【請求項６】
９８℃沸騰水中で１５分間保持した際の収縮率が１０％以下であることを特徴とする請求項１〜５のいずれか１項記載の繊維。
【請求項７】
残留伸度が５〜３０％であることを特徴とする請求項１〜６のいずれか１項記載の繊維。
【請求項８】
初期引張弾性率が１５ｃＮ／ｄｔｅｘ以上であることを特徴とする請求項１〜７のいずれか１項記載の繊維。
【請求項９】
繊維形成能を有するポリマが、融点が１５０℃以上のポリエステル系ポリマおよび／またはポリアミド系ポリマおよび／またはポリオレフィン系ポリマおよび／またはポリアクリロニトリル系ポリマであることを特徴とする請求項１〜８のいずれか１項記載の繊維。
【請求項１０】
比抵抗値が１０３〜１０９Ω・ｃｍであることを特徴とする請求項１〜９のいずれか１項記載の繊維。
【請求項１１】
破断強度が０．５ｃＮ／ｄｔｅｘ以上であることを特徴とする請求項１〜１０のいずれか１項記載の繊維。
【請求項１２】
請求項１〜１１のいずれか１項記載の繊維からなる比抵抗値が１０６〜１０９Ω・ｃｍの短繊維。
【請求項１３】
請求項１〜１２のいずれか１項記載の繊維からなる繊維長が０．０５〜１５０ｍｍの短繊維。
【請求項１４】
請求項１〜１３のいずれか１項記載の繊維および／または短繊維を少なくとも一部に用いた織物。
【請求項１５】
パイル織りであることを特徴とする請求項１４記載の織物。
【請求項１６】
請求項１〜１３のいずれか１項記載の繊維および／または短繊維を少なくとも一部に用いてなる編物。
【請求項１７】
裏毛編からなる編物および／または起毛処理によりパイル状繊維が編物表面にある編物であることを特徴とする請求項１６記載の編物。
【請求項１８】
請求項１〜１３のいずれか１項記載の繊維および／または短繊維を少なくとも一部に用いてなる不織布。
【請求項１９】
請求項１２または１３記載の短繊維を少なくとも一部に用い、基盤に接着して植設されてなる植毛体。
【請求項２０】
請求項１４〜１８のいずれか１項記載の織物および／または編物および／または不織布を少なくとも一部に用い、基盤に接着してなる布帛複合体。
【請求項２１】
請求項１９記載の植毛体および空間を設けて対峙する１対の磁極からなる流量可変装置であって、磁場応答性素子である植毛体が少なくとも１方の磁極に接していることを特徴とする流量可変装置。
【請求項２２】
請求項２０記載の布帛複合体および空間を設けて対峙する１対の磁極からなる流量可変装置であって、磁場応答性素子である布帛複合体が少なくとも一方の磁極に接していることを特徴とする流量可変装置。
【請求項２３】
請求項２１または２２記載の流量可変装置を少なくとも一部に用いてなる振動減衰装置。
【請求項２４】
請求項１９記載の植毛体を少なくとも一部に用いたアクチュエーター。
【請求項２５】
請求項２０記載の布帛複合体を少なくとも一部に用いたアクチュエーター。
【請求項２６】
請求項１９記載の植毛体を少なくとも一部に用いた研磨用基材。
【請求項２７】
請求項２０記載の布帛複合体を少なくとも一部に用いた研磨用基材。
【請求項２８】
少なくとも請求項１〜１３のいずれか１項記載の繊維および／または短繊維を一部に用いてなる衣料。
【請求項２９】
請求項１４〜１８のいずれか１項記載の織物および／または編物および／または不織布を少なくとも一部に用い、棒状物体に接着してなるブラシローラー。
【請求項３０】
請求項１２または１３記載の短繊維を少なくとも一部に用い、棒状物体に接着して植設されてなるブラシローラー。
【請求項３１】
棒状物体が主として金属からなることを特徴とする、請求項２９または３０記載のブラシローラー。
【請求項３２】
棒状物体が主として金属および金属の少なくとも一部を覆う中間層とからなることを特徴とする、請求項２９または３０記載のブラシローラー。
【請求項３３】
請求項２９〜３２のいずれか１項記載のブラシローラーを用いてなる清掃装置。
【請求項３４】
請求項２９〜３２のいずれか１項記載のブラシローラーを用いてなる帯電装置。
【請求項３５】
請求項２９〜３２のいずれか１項記載のブラシローラーを用いてなる現像装置。
【請求項３６】
請求項２９〜３２のいずれか１項記載のブラシローラーを用いてなる除電装置。
【請求項３７】
請求項３３記載の清掃装置および／または請求項３４記載の帯電装置および／または請求項３５記載の現像装置および／または請求項３６記載の除電装置を用いてなる電子写真装置。
【手続補正２】
【補正対象書類名】明細書
【補正対象項目名】００１１
【補正方法】変更
【補正の内容】
【００１１】
すなわち本発明は、飽和磁束密度が０．５テスラ以上で保磁力が１０００Ａ／ｍ以下の球状磁性材料を含有する、繊維形成能を有するポリマからなる、単繊維直径が０．１〜１００μｍである繊維を提供するものである。
【手続補正３】
【補正対象書類名】明細書
【補正対象項目名】００１５
【補正方法】変更
【補正の内容】
【００１５】
また本発明の繊維に含有される球状磁性材料は、保磁力が１０００Ａ／ｍ以下である必要がある。保磁力とは、磁性材料の磁化曲線で磁化の強さをゼロにするために印加する逆向きの磁場の大きさ（抗磁力）と解され、本発明における球状磁性材料の保磁力が１０００Ａ／ｍ以下である場合、磁石に成り難い、すなわち磁場が印加され、磁場が解放されてなくなったあとに、繊維自身は磁化されないという意味で磁場応答性に優れる。１０００Ａ／ｍよりも大きい保磁力の場合は、磁場が解放されてなくなったのちも繊維は磁化された状態を保つことがあるため、繊維同士がくっつき合うなどして、本発明の繊維を用いる用途によっては、例えば後述するような磁場応答性素子あるいはブラシローラーとなした場合には、清掃装置用部材あるいは現像装置用部材として使用できないこともある。該保磁力は、５００Ａ／ｍ以下であることが好ましく、１００Ａ／ｍ以下であることがより好ましく、２０Ａ／ｍ以下であることが特に好ましい。また該保磁力は低い値ほど好ましく、０Ａ／ｍ以上であることが好ましい。
【手続補正４】
【補正対象書類名】明細書
【補正対象項目名】００１８
【補正方法】変更
【補正の内容】
【００１８】
本発明の繊維に含有される球状磁性材料については、上記の通り、飽和磁束密度が０．５テスラ以上で保磁力が１０００Ａ／ｍ以下の球状磁性材料であれば特に制限されるものではなく、例えば純鉄、純ニッケル、純コバルト、純モリブデンなどの単一金属種からなる材料のほか、ケイ素鋼やあるいは、鉄、ニッケル、コバルト、およびモリブデンの中から複数種選ばれてなるパーマロイ、スーパーマロイ、パーメンジュール、などからなる球状の磁性材料を挙げることができ適宜採用できる。そしてこれら球状磁性材料の中でも、さらに保磁力が小さくかつ飽和磁束密度が非常に大きい点で、純度９５％以上の鉄、コバルト、ニッケルが好ましく、純度９８％以上のいわゆる純鉄、純ニッケル、純コバルトがより好ましい。特にカルボニル法により製造される純鉄あるいは純ニッケルは、通常、純度９９％以上で球状を有することから特に好ましい。この純鉄、純ニッケルあるいは純コバルトは純度が高いほど好ましく、純度１００％までのものが好適に用いられる。これら球状磁性材料は１種を単独で用いても良くあるいは目的に応じて、発明の主旨を損ねない範囲で複数種を併用しても良い。
【手続補正５】
【補正対象書類名】明細書
【補正対象項目名】００５１
【補正方法】変更
【補正の内容】
【００５１】
本発明の繊維の単繊維直径は、球状磁性材料を高濃度で含有せしめかつ様々な用途に採用が可能であるという点で、０．１〜１００μｍである必要があるが、０．５〜５０μｍであることが好ましく、後述するブラシローラーに用いる場合で帯電装置に組み込む場合には帯電性能が優れるという点で０．５〜１０μｍであることが特に好ましい。また繊維の断面形状についても特に制限されるものではなく、丸形であれば均一な繊維物性を有するため好ましく、また繊維を前述の磁場応答性素子に組み込んで使用する際、あるいはブラシローラーに短繊維あるいは織物あるいは編物あるいは不織布の形状で組み込み、使用する用途あるいは目的に応じて、例えば繊維の曲がる方向に異方性を持たせる、あるいは後述する電子写真装置においてはトナーとの良好な接触性を得るといった場合には、偏平型、多角形、多葉型、中空型、あるいは不定形型などが好ましい。